(57)【要約】【課題】基地局装置でコネクション管理を集中制御し、かつ、中継装置を利用して無線リソース管理を分散制御する無線中継システムを得ること。【解決手段】本発明にかかる無線中継システムは、コネクション管理を集中制御で実現する基地局装置１と、基地局装置１と端末装置３との通信を中継する中継装置２と、を含み、基地局装置１が中継装置２との間の無線リソース管理を行う無線中継システムであって、中継装置２が、基地局装置１と端末装置３との間で確立されているコネクションの情報を基地局装置１から取得し、得られたコネクション情報に基づいて端末装置３との間のデータ伝送を制御する仮想コネクション管理部２１、を備え、仮想コネクション管理部２１の制御により、中継装置２と端末装置３との間で前記コネクションを使用したデータ伝送を行う。【選択図】        図１
2010011203.tif 000002
【特許請求の範囲】
【請求項１】
コネクション管理を集中制御で実現する基地局装置と、当該基地局装置と端末装置との通信を中継する中継装置と、を含み、当該基地局装置が当該中継装置との間の無線リソース管理を行う無線中継システムであって、
前記中継装置が、
前記基地局装置と前記端末装置との間で確立されているコネクションの情報を当該基地局装置から取得し、当該コネクション情報に基づいて前記端末装置との間のデータ伝送を制御する仮想コネクション管理部、
を備え、
前記仮想コネクション管理部の制御により、前記中継装置と前記端末装置との間で前記コネクションを使用したデータ伝送を行うことを特徴とする無線中継システム。
【請求項２】
前記中継装置が、
前記コネクション情報に基づいて前記端末装置との間の無線リソース管理を行う無線リソース管理部、
をさらに備え、
前記基地局装置と前記中継装置により無線リソース管理の分散制御を行うことを特徴とする請求項１に記載の無線中継システム。
【請求項３】
前記基地局装置、および前記中継装置の無線リソース管理部は、当該基地局装置と前記端末装置との間で所定のＱｏＳを保証するように、前記無線リソース管理を行うことを特徴とする請求項２に記載の無線中継システム。
【請求項４】
コネクション管理を集中制御で実現する基地局装置と、端末装置との間の通信を中継する中継装置であって、
前記基地局装置と前記端末装置との間で確立されているコネクションの情報を当該基地局装置から取得し、当該コネクション情報に基づいて前記端末装置との間のデータ伝送を制御する仮想コネクション管理部、
を備え、
前記仮想コネクション管理部の制御により、前記端末装置との間で前記コネクションを使用したデータ伝送を行うことを特徴とする中継装置。
【請求項５】
前記コネクション情報に基づいて前記端末装置との間の無線リソース管理を行う無線リソース管理部、
をさらに備えることを特徴とする請求項４に記載の中継装置。
【請求項６】
前記無線リソース管理部は、前記基地局装置と前記端末装置との間で所定のＱｏＳを保証するように、前記無線リソース管理を行うことを特徴とする請求項５に記載の中継装置。
【請求項７】
自装置と端末装置との通信を中継する請求項４または５に記載の中継装置とともに無線中継システムを構成し、コネクション管理を集中制御で行い、かつ、当該中継装置との間の無線リソース管理を行う基地局装置であって、
自装置と前記端末装置との間で所定のＱｏＳを保証するように、前記無線リソース管理を行うことを特徴とする基地局装置。
【発明の詳細な説明】
【技術分野】
【０００１】
本発明は、中継装置を備える無線中継システムに関する。
【背景技術】
【０００２】
従来、無線通信システムでは、基地局装置（ＢＳ：Base  Station）と端末装置（ＭＳ：Mobile  Station）の間で電波に情報を乗せて伝送する。しかしながら、電波は長い通信距離や遮蔽物の影響によって減衰するため、電波の届かない不感地帯が存在する。そのため、従来は、基地局装置と端末装置の間に中継装置（ＲＳ：Relay  Station）を置き、中継装置により電波を中継することで不感地帯を解消している。以下、中継装置を含む無線通信システムを無線中継システムと呼ぶ。
【０００３】
また、ＷｉＭＡＸとしてサービスが開始されているIEEE802.16システム（下記非特許文献１）においても不感地帯の問題があり、その対策としてIEEE802.16j（Multihop  Relay：ＭＲ）（下記非特許文献２）の標準化が進められている。ＭＲシステムでは、基地局装置により集中制御を行う方法と、中継装置を含む複数の装置により分散制御を行う方法の２つのモードが規定されている。分散制御を行う具体的な方法については下記特許文献１に開示されている。
【０００４】
たとえば、コネクション管理を基地局装置で集中制御（Normal  CID  Allocation（IEEE802.16j））する場合は、ネットワーク側のサービスとの関連付けが容易であり、コネクション管理手法の設計も容易となる。また、無線リソース管理を基地局装置と中継装置で分散制御（Distributed  Scheduling（IEEE802.16j））する場合は、各無線リンクの電波伝搬特性に応じたリアルタイムで効率的な無線リソース管理を行うことができる。
【０００５】
【非特許文献１】IEEE  Std  802.16e-2005  Amendment2:  Physical  and  Medium  Access  Control  Layers  for  Combined  Fixed  and  Mobile  Operation  in  Licensed  Bands  ２００５年
【非特許文献２】IEEE  P802.16j/D3  Multihop  Relay  Specification  ２００８年
【特許文献１】特開２００８−０４８４２２号公報
【発明の開示】
【発明が解決しようとする課題】
【０００６】
しかしながら、上記従来の技術によれば、コネクション管理を集中制御で行う場合は、基地局装置が中継装置および端末装置に対するコネクション管理を行い、中継装置は基地局装置と端末装置の間のコネクション管理に関与しない。そのため、中継装置は、たとえば、無線リソース管理を分散制御で行うような場合、コネクション毎に指定されるＱｏＳ（Quality  of  Service）を維持するために必要な情報が無く、コネクションを基本単位としたデータ伝送および無線リソース管理を実施することができない、という問題があった。
【０００７】
本発明は、上記に鑑みてなされたものであって、基地局装置でコネクション管理を集中制御し、かつ、中継装置を利用して無線リソース管理を分散制御する無線中継システムを得ることを目的とする。
【課題を解決するための手段】
【０００８】
上述した課題を解決し、目的を達成するために、本発明は、コネクション管理を集中制御で実現する基地局装置と、基地局装置と端末装置との通信を中継する中継装置と、を含み、基地局装置が中継装置との間の無線リソース管理を行う無線中継システムであって、中継装置が、基地局装置と端末装置との間で確立されているコネクションの情報を基地局装置から取得し、コネクション情報に基づいて端末装置との間のデータ伝送を制御する仮想コネクション管理部、を備え、仮想コネクション管理部の制御により、中継装置と端末装置との間でコネクションを使用したデータ伝送を行うことを特徴とする。
【発明の効果】
【０００９】
この発明によれば、基地局装置でコネクション管理を集中制御する場合であっても、中継装置が、端末装置との間にコネクションを確立することなく、当該端末装置との間でデータ伝送を行うことができる、という効果を奏する。
【発明を実施するための最良の形態】
【００１０】
以下に、本発明にかかる無線中継システムの実施の形態を図面に基づいて詳細に説明する。なお、この実施の形態によりこの発明が限定されるものではない。
【００１１】
実施の形態１．
図１は、無線中継システムの実施の形態１の構成例を示す図である。無線中継システムは、基地局装置（ＢＳ）１と、中継装置（ＲＳ）２と、端末装置（ＭＳ）３と、中継装置用コネクション４と、端末装置用コネクション５と、から構成される。基地局装置１は、中継装置２との間のコネクション管理、および端末装置３との間のコネクション管理を行い、また、中継装置２との間の無線リソース管理を行う。中継装置２は、端末装置用コネクション５を共有してデータ伝送を行い、また、基地局装置１と端末装置３との間のコネクション情報に基づいて端末装置３との間の無線リソース管理を行う。端末装置３は、中継装置２と通信を行う。中継装置用コネクション４は、仮想的に装置間を結ぶ通信経路であり、基地局装置１と中継装置２との間で確立されているコネクション（接続）を表す。端末装置用コネクション５は、同様に、仮想的に装置間を結ぶ通信経路であり、基地局装置１と端末装置３との間で確立されているコネクションを表す。
【００１２】
また、基地局装置１は、コネクション管理部１１と、無線リソース管理部１２と、を備える。コネクション管理部１１は、コネクションを集中管理し、基地局装置１と中継装置２の間に中継装置用コネクション４を、基地局装置１と端末装置３の間に端末装置用コネクション５を確立する。無線リソース管理部１２は、コネクション管理部１１からコネクション情報を取得し、基地局装置１と中継装置２の間の無線リソース管理を行う。
【００１３】
また、中継装置２は、仮想コネクション管理部２１と、無線リソース管理部２２と、を備える。仮想コネクション管理部２１は、端末装置用コネクション５の情報を基地局装置１と共有して保持する。また、端末装置３へデータを送信するときは、この端末装置用コネクション５を利用する。すなわち、中継装置２は、自装置と端末装置３の間にコネクション（接続）を確立した場合と同様の処理が可能となる。無線リソース管理部２２は、仮想コネクション管理部２１からコネクション情報を取得し、中継装置２と端末装置３の間の無線リソース管理を行う。なお、仮想コネクション管理部２１がコネクション情報を取得する方法については、基地局装置１からの通知によって取得してもよいし、基地局装置１と端末装置３の間のコネクション確立メッセージから取得してもよい。
【００１４】
つづいて、各装置の詳細構成について説明する。図２は、基地局装置１の構成例を示す図である。基地局装置１は、上記コネクション管理部１１，無線リソース管理部１２の他に、ネットワーク側インタフェース部１３と、無線側インタフェース部１４と、パケット処理部１５１と、ＰＤＵ構築部１５２と、符号化部１５３と、変調部１５４と、信号処理部１５５と、信号処理部１６１と、復調部１６２と、復号化部１６３と、ＰＤＵ処理部１６４と、パケット構築部１６５と、を備える。
【００１５】
ネットワーク側インタフェース部１３は、ネットワークとのインタフェースである。無線側インタフェース部１４は、他装置との無線インタフェースである。パケット処理部１５１は、コネクション情報に基づいてパケットの分類や判別を行い、ＩＰパケットの処理を行う。ＰＤＵ構築部１５２は、ＭＡＣヘッダ等を付与してＭＡＣ  ＰＤＵの構築を行う。符号化部１５３は、送信するパケットを符号化する。変調部１５４は、送信するパケットを変調する。信号処理部１５５は、ＲＦ（Radio  Frequency）信号に変換する処理を行う。信号処理部１６１は、受信したＲＦ信号を周波数変換する処理を行う。復調部１６２は、変調されている受信パケットを復調する。復号化部１６３は、符号化されている受信パケットを復号する。ＰＤＵ処理部１６４は、ヘッダに含まれる各種制御情報の抽出等、ＭＡＣ  ＰＤＵの受信処理を行う。パケット構築部１６５は、コネクション情報を用いてパケットの構築を行う。
【００１６】
図３は、中継装置２の構成例を示す図である。中継装置２は、上記仮想コネクション管理部２１，無線リソース管理部２２の他に、無線側インタフェース部２４と、パケット処理部２５１と、ＰＤＵ構築部２５２と、符号化部２５３と、変調部２５４と、信号処理部２５５と、信号処理部２６１と、復調部２６２と、復号化部２６３と、ＰＤＵ処理部２６４と、パケット構築部２６５と、を備える。ＰＤＵ処理部２６４は、ヘッダに含まれる各種制御情報の抽出等、ＭＡＣ  ＰＤＵの受信処理を行う。また、受信したデータの誤り情報および信用情報を無線リソース管理部２２へ通知する。なお、無線側インタフェース部２４、パケット処理部２５１〜信号処理部２５５、信号処理部２６１〜復号化部２６３、およびパケット構築部２６５の各構成は、対応する基地局装置１の各構成と同様の機能であるため、説明を省略する。
【００１７】
図４は、端末装置３の構成例を示す図である。端末装置３は、コネクション管理部３１と、ネットワーク側インタフェース部３３と、無線側インタフェース部３４と、パケット処理部３５１と、ＰＤＵ構築部３５２と、符号化部３５３と、変調部３５４と、信号処理部３５５と、信号処理部３６１と、復調部３６２と、復号化部３６３と、ＰＤＵ処理部３６４と、パケット構築部３６５と、を備える。なお、コネクション管理部３１、ネットワーク側インタフェース部３３、無線側インタフェース部３４、パケット処理部３５１〜信号処理部３５５、および信号処理部３６１〜パケット構築部３６５の各構成は、対応する基地局装置１の各構成と同様の機能であるため、説明を省略する。
【００１８】
つづいて、中継装置２を中継して基地局装置１から端末装置３へデータを送信する場合の各装置の動作について説明する。
【００１９】
基地局装置１は、コネクション管理部１１で中継装置用コネクション４と端末装置用コネクション５を確立し、それらのコネクション情報を保持していることを前提とする。まず、ネットワークインタフェース部１３は、入力されたＩＰパケットをパケット処理部１５１に転送する。パケット処理部１５１は、コネクション管理部１１からのコネクション情報に基づいて、パケットの分類や判別を行い、ＩＰパケットの処理を行う。つぎに、無線リソース管理部１２が、コネクションの種類やＱｏＳ情報、無線環境情報（ＣＱＩ：Channel  Quality  Information）に基づいて無線リソースの割り当てを行い、その情報をコネクション管理部１１とＰＤＵ構築部１５２に通知する。ＰＤＵ構築部１５２は、コネクション管理部１１と無線リソース管理部１２から得られる上記各種情報に基づきＭＡＣ  ＰＤＵの構築を行う。その後、符号化部１５３が符号化処理を実行し、変調部１５４が変調処理を実行し、信号処理部１５５が信号変換を行い、生成された信号を無線側インタフェース部１４がアンテナを介して中継装置２へ向けて送信する。
【００２０】
中継装置２は、基地局装置１が送信した信号を無線インタフェース部２４で受信後、信号処理部２６１で受信ＲＦ信号を周波数変換する。その後、復調部２６２が復調処理を実行し、復号化部２６３が復号処理を実行する。また、ＰＤＵ処理部２６４では、仮想コネクション管理部２１が保持するコネクション情報に基づいてＭＡＣ  ＰＤＵの受信処理を実行する。また、受信信号の誤り情報および信用情報を無線リソース管理部２２へ通知する。パケット構築部２６５では、コネクション情報を用いてパケットの構築を行い、パケット処理部２５１に転送する。以上により、基地局装置１からのデータ受信処理を完了する。
【００２１】
つぎに、中継装置２では、端末装置３へデータを転送する処理を実施する。まず、パケット処理部２５１が、仮想コネクション管理部２１からのコネクション情報に基づいてパケットの分類や判別を行い、ＩＰパケットの処理を行う。仮想コネクション管理部２１は、上記の取得方法により得た基地局装置１と端末装置３との間のコネクション情報、ＱｏＳ情報、無線環境情報を、無線リソース管理部２２へ通知する。無線リソース管理部２２は、コネクション情報、ＱｏＳ情報、無線環境情報、および上記ＰＤＵ処理部２６４から得られる情報に基づいて無線リソースの割り当てを行い、その情報を仮想コネクション管理部２１とＰＤＵ構築部２５２に通知する。ＰＤＵ構築部２５２は、仮想コネクション管理部２１と無線リソース管理部２２から得られる上記各種情報に基づき、ＭＡＣ  ＰＤＵの構築を行う。その後、符号化部２５３が符号化処理を実行し、変調部２５４が変調処理を実行し、信号処理部２５５が信号変換を行い、生成された信号を無線側インタフェース部２４がアンテナを介して端末装置３へ向けて送信する。このとき、中継装置２は、基地局装置１と端末装置３の間で確立されている端末装置用コネクション５を利用して送信を行う。
【００２２】
なお、本実施の形態では、中継装置２が、受信データからパケットを構築して転送する場合を説明したが、上記処理に限定するものではない。たとえば、中継装置２でＰＤＵ処理を行い、転送することも可能である。また、中継装置２で復号化までの処理を行い、再符号化後に転送することも可能である。また、コネクション管理を集中制御し、かつ、無線リソース管理を分散制御する無線中継システムであれば、IEEE802.16jで規定する無線中継システム以外においても適用可能である。
【００２３】
つぎに、端末装置３は、中継装置２が転送した信号を無線インタフェース部３４で受信後、信号処理部３６１で受信ＲＦ信号を周波数変換する。その後、復調部３６２が復調処理を実行し、復号化部３６３が復号処理を実行する。ＰＤＵ処理部３６４では、コネクション管理部３１が保持するコネクション情報に基づいてＭＡＣ  ＰＤＵの受信処理を行う。パケット構築部３６５では、コネクション情報を用いてパケットの構築を行い、ネットワーク側インタフェース部３２へ転送する。ネットワーク側インタフェース部３２は、ネットワークまたはアプリケーションへデータを転送する。以上により、中継装置２を中継して基地局装置１から端末装置３へデータを送信する場合の、転送処理が完了する。
【００２４】
上記のように、分散制御により無線リソース管理を行う場合、中継装置２は、基地局装置１と端末装置３との間に確立されるコネクションの情報が必要となる。そこで、本実施の形態では、基地局装置１が集中制御によりコネクション管理を行う場合であっても、中継装置２が、端末装置用コネクション５の情報を共有することにより、端末装置３との間に仮想的なコネクションを確立することとした。これにより、中継装置２による無線リソース管理が可能となる。
【００２５】
なお、上記基地局装置１から端末装置３へデータを送信する場合については、基地局装置１がデータを受信する動作が説明されていないが、基地局装置１がデータを受信する動作は、上記端末装置３がデータを受信する動作と同様である。また、端末装置３がデータを送信する動作についても説明されていないが、端末装置３がデータを送信する動作は、基地局装置１がデータを送信する動作と同様である。
【００２６】
以上説明したように、本実施の形態では、中継装置が、基地局装置と端末装置との間のコネクションおよびそのコネクション情報を、基地局装置と共有することとした。これにより、基地局装置でコネクション管理を集中制御する場合であっても、中継装置は、端末装置との間にコネクションを確立することなく、当該端末装置との間でデータ伝送を行うことができる。また、中継装置を利用して無線リソース管理を分散制御することができる。
【００２７】
なお、無線中継システムの例として、IEEE802.16jにおけるＭＲシステムを用いたが、他の無線中継システムにおいても適用可能である。
【００２８】
また、基地局装置、中継装置および端末装置の構成について説明したが、この構成に限定するものではなく、複数の中継装置を経由するマルチホップ中継システムやマルチユーザ中継システムにおいても適用可能である。
【００２９】
実施の形態２．
実施の形態１では、基地局装置と端末装置の間のコネクションおよびそのコネクション情報を、中継装置と端末装置の間のデータ伝送に利用する。しかしながら、基地局装置および中継装置に、同一のＱｏＳ情報が与えられると、たとえば、最大遅延量が保証されない可能性がある。詳細には、基地局装置の無線リソース管理部では、上位装置から指示されたＱｏＳを保証するように無線リソースが割り当てられ、中継装置の無線リソース管理部においても、同様のＱｏＳを保証するように無線リソースが割り当てられるため、各リンク（各装置が通信を行う区間）ではＱｏＳが保証されていても、基地局装置と端末装置の間ではＱｏＳが保証されない（最大遅延量が２倍になる）可能性がある。本実施の形態では、システム全体としてＱｏＳを保証する無線中継システムについて説明する。
【００３０】
図５は、本発明にかかる無線中継システムの実施の形態２の構成例を示す図である。本実施の形態の無線中継システムは、基地局装置１ａと、中継装置２ａと、端末装置３と、中継装置用コネクション４と、端末装置用コネクション５と、上位装置６と、から構成される。
【００３１】
基地局装置１ａは、コネクション管理部１１ａ内に、さらにスケジューリング情報生成部１１１を備える点が実施の形態１と異なる。スケジューリング情報生成部１１１は、上位装置６からＱｏＳ情報とスケジューリング情報の生成に必要な比率情報とを取得し、ＱｏＳ情報と比率情報に基づいてスケジューリング情報を生成する。ここで、スケジューリング情報とは、ＱｏＳ情報で規定する各項目の値に、各装置に分配された比率を乗じた値をいう。その他の構成および機能については実施の形態１と同様のため、説明を省略する。
【００３２】
中継装置２ａは、仮想コネクション管理部２１ａ内に、さらにスケジューリング情報生成部２１１を備える点が実施の形態１と異なる。スケジューリング情報生成部２１１は、基地局装置１ａからＱｏＳ情報とスケジューリング情報の生成に必要な比率情報とを取得し、ＱｏＳ情報と比率情報に基づいてスケジューリング情報を生成する。その他の構成および機能については実施の形態１と同様のため、説明を省略する。
【００３３】
上位装置６は、基地局装置１ａの上位装置に相当する通信装置であり、本無線中継システムにおいてＱｏＳ情報を管理する。また、スケジューリング情報の生成に必要な比率情報を、各装置から通知される無線品質等の情報に基づいて決定する。
【００３４】
つづいて、スケジューリング情報生成部の具体的な動作について説明する。たとえば、ＱｏＳ情報の１つである最大遅延量Ｄを、基地局装置１ａと中継装置２ａにおいて、ａ対ｂの比率で分配する場合を想定する。基地局装置１ａのスケジューリング情報生成部１１１は、上位装置から通知されたＱｏＳ情報（最大遅延量Ｄ）と比率情報（ａ対ｂ）に基づいて、自装置のスケジューリング情報（「遅延量Ｄ１」とする）を、
「Ｄ１＝（Ｄ×ａ／(ａ＋ｂ））」
として計算し決定する。同様に、中継装置２ａのスケジューリング情報生成部２１１は、スケジューリング情報（「遅延量Ｄ２」とする）を、
「Ｄ２＝（Ｄ×ｂ／(ａ＋ｂ））」
として計算し決定する。このように、各装置が、分配された比率に基づいて遅延量（スケジューリング情報）を決定することで、基地局装置１ａから端末装置３までの最大遅延量を「Ｄ１＋Ｄ２＝Ｄ」とすることが可能となる。
【００３５】
ここで、上記基地局装置１ａと中継装置２ａの遅延の比率情報であるａ対ｂは、各装置におけるリンクの無線伝搬距離や無線環境状態、無線品質、システムトラヒック分配率等のパラメータによって変化する値である。また、ＱｏＳ情報は最大遅延量Ｄに限らず、平均遅延量や遅延ジッタなど、リンク毎に加算されるＱｏＳ情報については、上記同様、リンク毎にａとｂを決定する。これにより、システム全体としてＱｏＳを保証することが可能となる。一方、リンク毎に加算されないＱｏＳ情報、たとえば、最低スループット、最大バーストサイズなどについては、各装置で分配するための比率を決定する必要は無く、ＱｏＳ情報をそのままスケジューリング情報とする。
【００３６】
上位装置６は、ＱｏＳ情報とスケジューリング情報生成時に必要な比率情報とを基地局装置１ａへ通知する。また、基地局装置１ａは、ＱｏＳ情報とスケジューリング情報生成時の比率情報を中継装置２ａへ転送する。なお、本実施の形態では、基地局装置１ａが、自装置と中継装置２ａの比率情報を決定することとしてもよい。この場合は、上位装置６から得られる上記パラメータに基づいて比率情報を決定し、中継装置２ａへ通知する。また、上位装置６から得られるパラメータに基づいて、基地局装置１ａと中継装置２ａのそれぞれが、自装置の比率情報を決定することとしてもよい。
【００３７】
以上説明したように、本実施の形態では、ＱｏＳ情報と上記比率情報に基づいて各装置におけるスケジューリング情報を生成し、各装置がスケジューリング情報とコネクション情報に基づいて無線リソースを割り当てることとした。これにより、無線中継システム全体としてＱｏＳを保証することができる。
【００３８】
なお、本実施の形態では、スケジューリング情報生成部を基地局装置と中継装置のそれぞれが備える場合について説明したが、基地局装置で自装置と中継装置のスケジューリング情報を生成し、中継装置のスケジューリング情報を中継装置へ通知することとしてもよい。また、上位装置でスケジューリング情報を生成して基地局装置へ通知することとしてもよい。
【産業上の利用可能性】
【００３９】
以上のように、本発明にかかる無線中継システムは、基地局装置と端末装置との間の通信を中継する中継装置を備えた無線中継システムに有用であり、特に、当該システムにおいて、コネクション管理および無線リソース管理を行う場合に適している。
【図面の簡単な説明】
【００４０】
【図１】実施の形態１の無線中継システムの構成例を示す図である。
【図２】基地局装置の構成例を示す図である。
【図３】中継装置の構成例を示す図である。
【図４】端末装置の構成例を示す図である。
【図５】実施の形態２の無線中継システムの構成例を示す図である。
【符号の説明】
【００４１】
１，１ａ  基地局装置
２，２ａ  中継装置
３  端末装置
４  中継装置用コネクション
５  端末装置用コネクション
６  上位装置
１１，１１ａ，３１  コネクション管理部
１２，２２  無線リソース管理部
１３，３３  ネットワーク側インタフェース部
１４，２４，３４  無線側インタフェース部
２１，２１ａ  仮想コネクション管理部
１１１，２１１  スケジューリング情報生成部
１５１，２５１，３５１  パケット処理部
１５２，２５２，３５２  ＰＤＵ構築部
１５３，２５３，３５３  符号化部
１５４，２５４，３５４  変調部
１５５，２５５，３５５  信号処理部
１６１，２６１，３６１  信号処理部
１６２，２６２，３６２  復調部
１６３，２６３，３６３  復号化部
１６４，２６４，３６４  ＰＤＵ処理部
１６５，２６５，３６５  パケット構築部
【図１】
2010011203.tif 000003
【図２】
2010011203.tif 000004
【図３】
2010011203.tif 000005
【図４】
2010011203.tif 000006
【図５】
2010011203.tif 000007